(57)【要約】【課題】コネクターの使用寿命を延長できる強化構造を備えたコネクターを提供する。【解決手段】  強化構造を備えたコネクター１００は、絶縁本体１０、絶縁本体１０上に固定する複数の導電端子４０、増強片２０、絶縁本体１０外を包んで覆う遮蔽殻体３０を備え、絶縁本体１０はベース１１、及びベース１１前表面から前方へと突出する舌板１１１を備え、増強片２０は絶縁本体１０上に一体成型され、舌板１１１上を覆って包む主体部２１、及び主体部２１後端両側から延伸して形成する翼部２２を設置し、主体部２１は舌板１１１の上表面と前表面を覆って包み、翼部２２はベース１１内に成型され、絶縁本体１０上に増強片２０を増設し、舌板１１１上表面と前表面を包んで覆い、舌板１１１が受ける上下方向の外力を効果的に減少させ、コネクター１００を抜き差しする過程での舌板１１１の損壊を防止することができ、コネクター１００の使用寿命を延長することができる。【選択図】図２
0003184717.tif 000002
【実用新案登録請求の範囲】
【請求項１】
強化構造を備えたコネクターは、絶縁本体、複数の導電端子、増強片、遮蔽殻体を備え、
前記絶縁本体は、ベース、及び前記ベース前表面から前方へと突出する舌板を備え、
前記複数の導電端子は、前記絶縁本体上に固定し、
前記増強片は、前記絶縁本体上に一体成型され、前記増強片には、前記舌板上を覆って包む主体部、及び前記主体部後端両側から延伸して形成する翼部を設置し、前記主体部は、前記舌板の上表面と前表面を覆って包み、前記翼部は、前記ベース内に成型され、
前記遮蔽殻体は、前記絶縁本体外を包んで覆うことを特徴とする強化構造を備えたコネクター。
【請求項２】
前記舌板上表面には、前記増強片を収容する主体部の収容設置槽を陥没状に設置し、
前記収容設置槽左右側には、側壁それぞれ設置し、
前記増強片の主体部前側辺縁は、下方へと弧状に湾曲し、湾曲部を形成し、
前記湾曲部の左右両端は、それぞれ外へと突出し、停止保護部を形成し、
前記湾曲部は、前記舌板前表面を包んで覆い、しかも前記２個の停止保護部は、前記舌板の両側壁前表面を包んで覆うことを特徴とする請求項１に記載の強化構造を備えたコネクター。
【請求項３】
前記側壁中央部には、それぞれ前記収容設置槽内に向かって、係合ブロックが突出し、  前記主体部左右両辺縁の中央部には、前記舌板の係合ブロックに対応する欠口を開設し、前記係合ブロックは、前記欠口内に嵌め入れられることを特徴とする請求項２に記載の強化構造を備えたコネクター。
【請求項４】
前記絶縁本体の舌板上には、複数の開孔を貫通状に開設し、
前記舌板上には、前記各開孔を取り囲んで、係合リングを設置し、
前記舌板前端には、２個の係合ロックを設置し、
前記増強片の主体部上には、複数の係合孔を貫通状に開設し、
前記各係合孔は、前記舌板上の複数の係合リングと係合ロックに対応し、前記主体部の係合孔は、前記舌板の複数の係合リングと係合ロック上に係合されることを特徴とする請求項１に記載の強化構造を備えたコネクター。
【請求項５】
前記遮蔽殻体左右の殻壁には、下方へと延伸する複数の固定支持アームを設置し、
前記遮蔽殻体頂点壁の後端は、後方へと延伸し、さらに下方へと湾曲して延伸し、２個の固定支持脚を形成し、
前記２個の固定支持脚の間には、相対して突出し延伸し、停止板を形成することを特徴とする請求項１に記載の強化構造を備えたコネクター。
【考案の詳細な説明】
【技術分野】
【０００１】
本考案はコネクターに関し、特に強化構造を備えたコネクターに関する。
【背景技術】
【０００２】
コネクターは、電子設備間でのデータ連接、伝送のツールとして、ますます広く応用されるようになっている。従来のコネクターは、絶縁本体、導電端子、遮蔽殻体を備える。絶縁本体は、主体部、及び主体部から突出して延伸し形成する舌板を備える。複数の導電端子は、絶縁本体上に固定され、遮蔽殻体が絶縁本体外を覆う。
【０００３】
上記したコネクターは、一般には、対応して接続するコネクターと接続して、電気的連接を実現する。しかし、プラスチック材質の舌板は、コネクターを頻繁に抜き差しすることで、使用者の操作が不適当であれば、折れてしまい、或いは摩損してしまう。これにより、コネクターの性能に影響が及び、廃棄せざるを得なくなる。よって、コネクターの強度を高める設計が求められている。
【考案の概要】
【考案が解決しようとする課題】
【０００４】
本考案の目的は、上述の周知の技術の不足に対して、強化構造を備えたコネクターを提供する。コネクターの使用寿命を延長することができる。
【課題を解決するための手段】
【０００５】
上述の目的を実現するため、本考案は下記の強化構造を備えたコネクターを提供する。
強化構造を備えたコネクターは、絶縁本体、該絶縁本体上に固定する複数の導電端子、増強片、該絶縁本体外を包んで覆う遮蔽殻体を備え、
該絶縁本体は、ベース、及び該ベース前表面から前方へと突出する舌板を備え、
該増強片は、該絶縁本体上に一体成型され、該舌板上を覆って包む主体部、及び該主体部後端両側から延伸して形成する翼部を設置し、
該主体部は、該舌板の上表面と前表面を覆って包み、該翼部は、該ベース内に成型される。
【考案の効果】
【０００６】
本考案の強化構造を備えたコネクターは、絶縁本体上に増強片を増設することで、舌板上表面と前表面を包んで覆い、舌板が受ける上下方向の外力を効果的に減少させ、コネクターを抜き差しする過程での舌板の損壊を防止することができ、コネクターの使用寿命を延長することができる。
【図面の簡単な説明】
【０００７】
【図１】本考案強化構造を備えたコネクターの立体図である。
【図２】図１に示す本考案の立体分解図である。
【図３】図１に示す本考案の別の角度からの立体分解図である。
【考案を実施するための形態】
【０００８】
本考案の技術内容、構造特徴、達成する目的を詳細に説明するため、以下に実施例を挙げ並びに図面を組み合わせて説明する。
【０００９】
図１〜３に示すように、本考案強化構造を備えたコネクター１００は、絶縁本体１０、複数の導電端子４０、増強片２０、遮蔽殻体３０を備える。
【００１０】
図２、３に示すように、絶縁本体１０は、ブロック状ベース１１を備える。ベース１１前表面は、前方へと舌板１１１を突出する。舌板１１１上には、複数の開孔(図示なし)を貫通状に開設する。舌板１１１上表面には、増強片２０を収容する収容設置槽１１２を陥没状に設置する。収容設置槽１１２左右側には、側壁１１３それぞれ設置する。側壁１１３中央部には、それぞれ収容設置槽１１２内に向かって、係合ブロック１１３１が突出する。舌板１１１前端には、２個の係合ロック１１１１を設置する。舌板１１１上には、各開孔を取り囲んで、係合リング１１４を設置する。舌板１１１舌表面には、前後方向に沿って、複数の端子槽１１５を開設する。
【００１１】
図２、３に示すように、複数の導電端子４０は、一体成型の方式で、絶縁本体１０上に固定する。各導電端子４０はどれも、棒状の固定部４１を備える。固定部４１は、前方へと水平に延伸し、接触部４２を形成する。固定部４１後端は、下方へと斜めに延伸した後、さらに水平に後方へと湾曲して延伸し、溶接部４３を形成する。成型時、固定部４１は、絶縁本体１０のベース１１内に埋設する。接触部４２は、絶縁本体１０の端子槽１１５内に収容される。溶接部４３は、絶縁本体１０のベース１１後端下方から、伸び出す。
【００１２】
図２、３に示すように、増強片２０は、絶縁本体１０上に一体成型される。増強片２０は、舌板１１１上を覆って包む主体部２１、主体部２１後端両側から延伸して形成する翼部２２を設置する。主体部２１は、舌板１１１の上表面と前表面を覆って包む。翼部２２は、絶縁本体１０のベース１１内に成型される。
【００１３】
具体的には、主体部２１前側は、下方へと弧状に湾曲し、湾曲部２３を形成する。湾曲部２３両端は、外へと突出し、停止保護部２３１を形成する。主体部２１上には、複数の係合孔２１１を貫通状に開設する。各係合孔２１１は、舌板１１１上の複数の係合リング１１４と係合ロック１１１１に対応する。主体部２１左右両側の辺縁の中央部には、欠口２１２を開設する。各欠口２１２は、舌板１１１の係合ブロック１１３１に対応する。主体部２１は、舌板１１１の収容設置槽１１２内に収容される。主体部２１の係合孔２１１は、舌板１１１の複数の係合リング１１４と係合ロック１１１１上に係合される。舌板１１１の係合ブロック１１３１は、主体部２１の欠口２１２内に嵌め入れられる。湾曲部２３は、舌板１１１前表面を包んで覆い、しかも２個の停止保護部２３１は、舌板１１１の両側壁１１３前表面を包んで覆う。本実施例中では、増強片２０は、金属片である。
【００１４】
図２、３に示すように、遮蔽殻体３０は、絶縁本体１０外を包んで覆う。遮蔽殻体３０左右の殻壁には、下方へと延伸する複数の固定支持アーム３１を設置する。遮蔽殻体３０頂点壁の後端は、後方へと延伸し、さらに下方へと湾曲して延伸し、２個の固定支持脚３２を形成する。２個の固定支持脚３２の間には、相対して突出し延伸し、停止板３３を形成する。
【００１５】
上記したように、本考案強化構造を備えるコネクター１００は、コネクターを抜き差し、接続する過程において、絶縁本体１０に一体成型する増強片２０により、舌板１１１が受ける上下方向の外力を効果的に減少させることができる。こうして、舌板１１１が折れないよう保護し、しかも増強片２０の湾曲部２３は、舌板１１１前表面を包んで覆い、こうしてコネクターを抜き差しする過程での舌板１１１の損壊を防止することができる。これにより、コネクターの使用寿命を延長することができる。
【符号の説明】
【００１６】
１００  強化構造を備えたコネクター
１０  絶縁本体
１１  ベース
１１１  舌板
１１２  収容設置槽
１１１１  係合ロック
１１３  側壁
１１３１  係合ブロック
１１４  係合リング
１１５  端子槽
２０  増強片
２１  主体部
２１１  係合孔
２１２  欠口
２２  翼部
２３  湾曲部
２３１  停止保護部
３０  遮蔽殻体
３１  固定支持アーム
３２  固定支持脚
３３  停止板
４０  導電端子
４１  固定部
４２  接触部
４３  溶接部
【図１】
0003184717.tif 000003
【図２】
0003184717.tif 000004
【図３】
0003184717.tif 000005